(57)【要約】【課題】表面に多様な柄が形成され、しかも基材層の加飾層への滲み出し防止も可能な簡単な構成な加飾成形品を実現する。【解決手段】加飾成形品４０において、基材層２の上面に構成される目止め層３と加飾層４は、特定の形状に切り欠きされており、基材層２、目止め層３及び加飾層４が加圧成形により一体化された際に、この切り欠きされた切欠部５に、基材層２の成形材料６が押し出されて充填され、基材層２の成形材料６が表面に露出した基材表面部７と、切り欠きされていない加飾層４の加飾表面部８とによって柄が形成され、しかも基材表面部７と加飾表面部８は段差なく形成されている。【選択図】図１
2012115993.tif 000002
【特許請求の範囲】
【請求項１】
基材層と目止め層と加飾層を備えた加飾成形品であって、基材層の上面に配置された目止め層と加飾層を特定の形状に切り欠き、加圧成形を行って一体成形されて成る構成であることを特徴とする加飾成形品。
【請求項２】
基材層と目止め層と加飾層を備えた加飾成形品であって、目止め層と加飾層が切り欠かれて基材層が表面に露出した基材表面部と、基材層の上面に加飾層が構成される加飾表面部とによって柄が形成され、基材表面部と加飾表面部は段差なく形成されていることを特徴とする加飾成形品。
【請求項３】
請求項１又は２に記載の加飾成形品であって、加飾層と目止め層が複数積層されていることを特徴とする加飾成形品。
【請求項４】
請求項１から３のいずれかに記載の加飾成形品であって、基材層はシートモールディングコンパウンド材から成ることを特徴とする加飾成形品。
【請求項５】
請求項１から４のいずれかに記載の加飾成形品の上面にコーティング層を備えていることを特徴とするコーティング付き加飾成形品。
【発明の詳細な説明】
【技術分野】
【０００１】
本発明は、浴室の洗い場の床等に使用される加飾成形品に関し、例えば、ＳＭＣ（Sheet Molding Compound）材の基材層と加飾層の中間層として、無機鉱物を主成分とする目止め層（滲み出し防止シート）を用いて、基材層と加飾層をプレス成形する加飾成形品に関する。
【背景技術】
【０００２】
従来技術として、ＳＭＣ材と加飾シートをプレス成形して模様付き成形品を製造する方法は知られている（図６（ａ）参照）。そして、模様付き成形品の製造方法において、成形材料が模様層に流れ込まないようにポリエステル製などの不織布に熱硬化性樹脂を含浸させて半硬化状態とした遮断マットを補強シートの表面に積層することは、知られている（特許文献１参照）。
【０００３】
石目加飾成形品の製造方法において、滲み出し防止シートとして無機鉱物を主成分とするセピオライト紙を用いる技術について、本願出願人はすで先行出願（特許文献２参照）に係る発明を提案している。
【先行技術文献】
【特許文献】
【０００４】
【特許文献１】特許第３１５１３６５号公報
【特許文献２】特開２０１０−２６４７４６号公報
【発明の概要】
【発明が解決しようとする課題】
【０００５】
従来技術では、基材層の材料であるＳＭＣ材等に、加飾シートを積層しプレスにより一体成形して、柄付きの加飾成形品が製造されている。また、先行出願に係る発明では、ＳＭＣ材等の基材層に、滲み出し防止シートを介して加飾シートを積層しプレスにより一体成形して、柄付きの加飾成形品が製造されている。
【０００６】
ところで、近年、住宅設備や住空間の利便性の向上に伴い、意匠面においても美的向上が求められており、浴室の床等に使用される加飾成形品についても、加飾表面に多様の柄が求められている。
【０００７】
しかしながら、上記従来の先行出願に係る発明のような製造方法によると、加飾層へ基材層の材料であるＳＭＣ材が滲み出しすることを防止できるが、加飾層表面に付与される柄は、加飾層の材料が有する色や模様の範囲内で限定されてしまう。このような意匠性の向上という観点からは、さらに改良の余地がある。
【０００８】
本発明は、従来技術や先行発明における課題に鑑み、加飾成形品の表面の意匠性の向上を可能とし、しかも基材層のＳＭＣ材等の加飾層への滲み出し防止も可能とする加飾成形品を、簡単な構成、部材及び製造工程で実現可能とすることを目的とする。
【課題を解決するための手段】
【０００９】
本発明は上記課題を解決するために、基材層と目止め層と加飾層を備えた加飾成形品であって、基材層の上面に配置された目止め層と加飾層を特定の形状に切り欠き、加圧成形を行って一体成形されて成る構成であることを特徴とする加飾成形品を提供する。
【００１０】
本発明は上記課題を解決するために、基材層と目止め層と加飾層を備えた加飾成形品であって、目止め層と加飾層が切り欠かれて基材層が表面に露出した基材表面部と、基材層の上面に加飾層が構成される加飾表面部とによって柄が形成され、基材表面部と加飾表面部は段差なく形成されていることを特徴とする加飾成形品を提供する。
【００１１】
加飾層と目止め層が複数積層されている構成としてもよい。
【００１２】
基材層はシートモールディングコンパウンド材から成る構成としてもよい。
【００１３】
加飾成形品は、その上面にコーティング層を備えているコーティング付き加飾成形品の構成としてもよい。
【発明の効果】
【００１４】
本発明に係る加飾成形品によると、基材層の材料を加飾層と目止め層の切欠部から加飾層と同じ表面に露出するまで押し出して充填するので、加飾層表面部で形成される柄に加えて、基材層の材料が切欠部から押し出されて成る基材層表面部によって形成される柄によって、より一層、多様化された柄を付与することができ、意匠性が向上可能である。
【００１５】
また、加飾層と基材層との間には目止め層が配置されており、また加飾層と目止め層との切欠部が形成されているから、加圧成形の際に、目止め層によって加飾層への滲み出しが防止され、圧縮された基材層のＳＭＣ等の材料が加飾層と目止め層の切欠部内に、比較的抵抗なく充填されるので、切欠部内の加飾層の側面へのＳＭＣ等の材料の押出力が小さくなり、加飾層の側面からの滲み出しも防止できる。
【図面の簡単な説明】
【００１６】
【図１】本発明に係る加飾成形品の実施例１を説明する図であり、（ａ）は平面図であり、（ｂ）は断面図である。（ｃ）は実施例１の変形例１の加飾成形品を示す断面図であり、（ｄ）実施例１の変形例２の加飾成形品を示す断面図である。
【図２】実施例１の加飾成形品の製造工程を説明する断面図である。
【図３】（ａ）は実施例１の加飾成形品の加飾層の構成を示す断面図であり、（ｂ）はこの加飾成形品の製造方法を説明する図である。
【図４】（ａ）〜（ｄ）は実施例２の加飾成形品の製造工程を説明する断面図であり、（ｅ）は実施例２の加飾成形品の構成を説明する断面図である。
【図５】（ａ）、（ｂ）は実施例３の加飾成形品の製造工程を説明する断面図であり、（ｃ）は実施例２の加飾成形品の構成を説明する断面図である。
【図６】（ａ）、（ｂ）は従来技術を説明する断面図であり、（ｃ）、（ｄ）は先行出願に係る発明を説明する断面図である。
【発明を実施するための形態】
【００１７】
本発明に係る加飾成形品を実施するための形態を実施例に基づき図面を参照して、以下説明する。
【００１８】
本発明に係る加飾成形品の実施例を説明する前に、本発明に係る加飾成形品の特徴的な構成を説明する。本発明に係る加飾成形品は、加飾成形品について従来問題であった滲み出しを解決しようとする解決手段とは、ある意味では、逆行する発想に基づく構成とした、きわめて新規な構成である。
【００１９】
図６（ａ）、（ｂ）は、従来の加飾成形品６０を製造するための従来技術を示す。この従来技術では、図６（ａ）に示すように、成形型６１上の加飾層６２の上に、基材層６３となるＳＭＣ材等の成形材料６４を積み重ね、プレスヘッド６５によって、加飾層６２と成形材料６４を成形型６１に向けて押圧して加圧成形する。これにより、図６（ｂ）に示すように、基材層６３と加飾層６２が一体となった加飾成形品６０が形成される。
【００２０】
しかし、このような従来技術によると、加圧成形の際に加熱され溶融し流動化した成形材料６４が、加飾層６２内に滲み出して加飾層６２の表面を破って破損などが生じたり、或いはその破れた表面からＳＭＣ材が表面に表出したりするという問題が生じ易い。
【００２１】
そこで、このような課題を解決するために、引用文献１記載の発明が提案されているが、引用文献１記載のものは、模様層（加飾層）を補強シートでカバーし遮断マットを積層しているが、補強シート及び遮断マットの部材を必要とし、さらに製造においてもこれらの２部材を配置したりしなくてはならないので、製造工程が複雑となる等の問題がある。
【００２２】
そこで、本願出願人は、前記のとおり先行出願（特願２００９−２８２７６０参照）に係る発明を提案している。この先行出願に係る発明の概要を、図６（ｃ）、（ｄ）で説明する。但し、図６（ｃ）、（ｄ）記載の符号は、本明細書記載の符号に沿うように先行出願で付した符号と異なった符号を付した。
【００２３】
先行出願に係る発明では、図６（ｃ）に示すように、加飾シート７０の上に、滲み出し防止シートとして無機鉱物を主成分とするセピオライト紙７１を積み重ねてから、その上に基材層７２の成形材料７３を積み重ねる。
【００２４】
このように積層した加飾シート７０、セピオライト紙７１及び基材層７２の成形材料７３を、上方からプレスヘッド７４によって、成形型７５に向けて押圧し加圧成形する。これによって、基材層７２の表面にセピオライト紙７１を介して加飾シート７０を一体に貼り付けて、図６（ｄ）に示すような加飾成形品６９を形成する。
【００２５】
以上のとおり、従来技術１による滲み出しの問題を解決するために、引用文献１では、補強シートでカバーして滲み出しを防止しようとするものであり、また、先行出願に係る発明では、滲み出し防止シート（セピオライト紙７１）により滲み出しを防止しようとするものである。
【００２６】
ところが、本発明に係る加飾成形品では、目止め層（本発明では、「滲み出し防止シート」を「目止め層」という。）を設けているが、目止め層の一部及び該一部に対応する加飾層（加飾シート）の部分が切り欠かれており、加圧成形の際に、切り欠かれた部分（切欠部）に、基材層の成形材料が押し出され表面に露出して加飾表面部と段差なく基材表面部が形成されている。これにより、本発明に係る加飾成形品では、切り欠きされていない加飾層の加飾表面部に加えて、加飾層とは異なる色合いの基材表面部から成る模様が形成されている。
【００２７】
要するに、本発明では、加圧成形の際に滲み出し防止しようとして設けた目止め層（滲み出し防止シート）を、むしろ全く逆の発想で、部分的に切り欠いて除去し、成形材料の滲み出しどころか積極的に押出しを誘引して、加飾表面部の柄に加え、基材層の成形材料による柄を加える構成としている。以下、実施例において本発明をより具体的に説明する。
【実施例１】
【００２８】
図１（ａ）、（ｂ）は、本発明に係る加飾成形品の実施例１を説明する平面図及び断面図である。この実施例１の加飾成形品１は、図１（ｂ）に示すように、基材層２と、目止め層３と、加飾層４とを備えている。
【００２９】
この加飾成形品１においては、基材層２の上面に形成される目止め層３と加飾層４は、特定の形状に切り欠きされている。基材層２、目止め層３及び加飾層４が、加圧成形により一体化される工程で、この切り欠きされた切欠部５内に、基材層２の成形材料６が押し出されて充填され、加飾層４の表面と略面一となるように表面に露出する。
【００３０】
この結果、加飾成形品１は、基材層２の成形材料６が表面に露出した基材表面部７と、切り欠きされていない加飾層４の加飾表面部８とによって柄が形成され、しかも基材表面部７と加飾表面部８は、段差なく形成されたものとなる。
【００３１】
この実施例１の加飾成形品１の表面には、基材表面部７と加飾表面部８によって、格子状の柄が形成されているが、目止め層３と加飾層４の切欠部５を、平面視において所望の形状にすることで、基材層２及び加飾層４のそれぞれの色や模様と相まって、加飾成形品１の表面に、基材表面部７と加飾表面部８から成る所望の柄を付与することが可能である。
【００３２】
図２（ａ）〜（ｄ）は、実施例１の加飾成形品１の製造工程を示す図であり、以下、図２（ａ）〜（ｄ）を参照して、製造工程を説明することで、加飾成形品１の特徴的な構成をより明確にする。
【００３３】
本発明の加飾成形品１を製造するためには、まず、加飾層４を製造する。加飾層４は、柄入りの樹脂シートや印刷したシート等であり、基材層２と同材料もしくは異なる材料で形成され、機能付与（例えば、抗菌剤を混入させて抗菌機能を付与する等）も可能である。なお、加飾層４については、その構成及び製造方法については、その概要を後記する。
【００３４】
次に、図２（ａ）に示すように、加飾層４の上面に、目止め層３を積層する。目止め層３としては、無機鉱物を主成分とするセピオライト紙等を使用する。
【００３５】
次に、図２（ａ）に示す加飾層４の上面に目止め層３が積層されたものについて、図２（ｂ）に示すように、目止め層３と加飾層４を、切欠加工によって部分的に切り欠いて除去した切欠部５と切り欠いていない部分とで、図示はしないが平面視で所望の柄を付与するようにする。
【００３６】
この切欠加工は、例えば、トムソン型の打抜刃を、目止め層３側又は加飾層４側から押し当てて加圧して打ち抜く打ち抜き加工により行う。或いは、カッター等を用いて切り抜くようにしてもよい。
【００３７】
次に、上記のように部分的に切り欠きされた加飾層４と目止め層３から成る積層体９を、図２（ｃ）に示すように、成形型１０内に入れてから、その上に基材層２の成形材料６を積み重ねる。成形材料６としては、ＳＭＣ材、ＢＭＣ材（Bulk Molding Compound）、プリプレグ等のＦＲＰ樹脂材料を使用する。
【００３８】
そして、このように積層した加飾層４、目止め層３及び成形材料６を、上方からプレスヘッド１１によって、成形型１０に向けて押圧し加圧成形する。これによって、図２（ｄ）に示すように、基材層２の成形材料６を、加飾層４及び目止め層３の切欠部５内に押し出して、表面に露出するまで充填しながら、加飾層４、目止め層２及び基材層２を一体になるように成形する。
【００３９】
このようにして、図１（ａ）、（ｂ）に示すような実施例１の加飾成形品１が形成される。この加飾成形品１は、上記のとおり、基材層２の成形材料６が、加飾層４と目止め層３の切欠部５から、加飾層４と同じ表面になるまで押し出され充填されているので、加飾層表面部８の色や模様に加えて、基材層２の材料が切欠部５から露出した基材層表面部７の色や模様によって、例えば幾何学模様や花柄等、多様化された色や模様から成る柄が付与可能となる。
【００４０】
また、加飾層４と基材層２との間には目止め層３が配置されており、しかも加飾層４と目止め層３の切欠部５が形成されているから、加圧成形の際に、目止め層３によって加飾層４への滲み出しが防止されるとともに、圧縮された基材層２の成形材料６が、比較的抵抗なく切欠部５内に充填されるので、切欠部５における加飾層４の側面への成形材料６の押し込み力が小さくなり、加飾層４の側面への滲み出しも防止される。
【００４１】
（実施例１の変形例）
図１（ｃ）は、実施例１の加飾成形品の変形例１を示す図である。この変形例１の加飾成形品１５は、実施例１の加飾成形品１において、その上面（表面）にコーティング層１６が形成されているものである。
【００４２】
コーティング層１６は、加圧成形に際して、透明又は半透明な樹脂層を加飾層４及び切欠部５を覆うようにして配置し、加圧成形することにより、加飾成形品１５の表面に形成される。或いは、実施例１の加飾成形品１が成形された後に、透明又は半透明な樹脂液を塗布して硬化するようにしてもよい。
【００４３】
図１（ｄ）は、実施例１の加飾成形品の変形例２を示す図である。この変形例２の加飾成形品１７は、成形型１０表面に所望の凹凸模様を形成する凹凸面を形成しておくことで、基材表面部７と加飾表面部８の両方又はいずれかに凹凸模様１８を備えた、意匠性に富む加飾成形品として形成されたものである。
【００４４】
なお、上記変形例１に示す加飾成形品の表面にコーティング層を設ける構成は、後記する実施例２〜３の成形品のいずれにも適用可能である。同様に、上記変形例２に示す加飾成形品１において、基材表面部７と加飾表面部８の両方又はいずれかに凹凸模様を備える構成は、後記する実施例２〜３の成形品のいずれにも適用可能である。
【００４５】
（加飾層）
本実施例で使用する加飾層４の構成及び製造方法の概要を以下、図３（ａ）、（ｂ）において説明する。本発明の「加飾層」は、上記先行出願に係る発明の「加飾シート」と同じであるが、用語においては、先行出願に係る発明の「加飾シート」及び「加飾層」を、本明細書では「加飾層」及び「加飾材」として記載する。
【００４６】
加飾層４は、図３（ａ）に示すように、ガラスマット２０及び加飾材２１が積層されて成るものである。ガラスマット２０は、チョップドストランドマット２２上にサーフェイスマット２３が積層されて形成される。
【００４７】
加飾材２１は、加飾用ＢＭＣ（Bulk Molding Compound）が使用される。チョップドストランドマット２２は、ガラス繊維が極く細い糸状になったものがシート状に形成されたものであり、市販されているチョップドストランドマット＃３００を利用する。サーフェイスマット２３は、ガラス繊維をポリエステルのバインダで固めて構成され薄い不織布からなる強化材であり、通常は、マット目を隠したり、平滑面を得るために使用される。本実施例では、市販されているサーフェイスマット＃３０を利用する。
【００４８】
なお、加飾層４の製造直後には、加飾層４の下面及び上面は、それぞれ保護フィルムである下部キャリアフィルム２４及び上部キャリアフィルム２５でカバーされているが、加飾成形品の製造に供与されるに際して、下部キャリアフィルム２４及び上部キャリアフィルム２５は引き剥がされる。
【００４９】
このような構成の加飾層４の製造方法を、図３（ｂ）において説明する。チョップドストランドマット２２を、下部キャリアフィルムを介し搬送用のガラス基板２６上に載置し、ローラコンベア２７で加飾材２１を供給するステージに向けて搬送する。
【００５０】
その搬送過程において、チョップドストランドマット２２の表面に、スプレー２８によってＭＭＡ（Methyl methacrylate：メタクリル酸メチル）モノマー２９を噴霧する。そして、チョップドストランドマット２２上にサーフェイスマット２３を供給して積層し、ガラスマット２０を形成する。
【００５１】
ガラス基板２６上のガラスマット２０は、駆動ローラ３０と圧延ローラ３１の間に搬送される。圧延ローラ３１に巻き込まれるように上部キャリアフィルム２５を供給するが、この上部キャリアフィルム２５上に加飾材２１である加飾用ＢＭＣ（Bulk Molding Compound）３２を載置し、ドクターブレード（堰板）３３で適切な厚さに整形して圧延ローラ３１からサーフェイスマット２３上に供給する。
【００５２】
サーフェイスマット２３上に供給した加飾用ＢＭＣ３２を、サーフェイスマット２３上で圧延ローラ３１により圧延するとともに、上部キャリアフィルム２５をその表面に貼り付ける。このようにして、図３（ａ）に示す加飾層４が形成される。
【実施例２】
【００５３】
図４は、本発明に係る加飾成形品の実施例２を説明する図である。図４（ｅ）に示す実施例２の加飾成形品４０は、実施例１の加飾成形品１と基本的には同じ構成であるが、相違する実施例２の加飾成形品４０の特有の構成は、加飾層及び目止め層を複数層積層して成る積層構造である。この実施例２の加飾成形品４０の構成を、以下説明する。
【００５４】
図４（ａ）は、実施例１における図２（ａ）と同じ、部分的に切り欠きされた加飾層４及び目止め層３の積層体９を示す図である。本実施例２では、図４（ｂ）に示すように、積層体９において切欠部５が形成されていない加飾層４の一部の上に、別の加飾層４１と目止め層４２が積層されて成る部片４３を載置して積層する。この部片４３の加飾層４１は、切り欠きされていない加飾層４とは異なる色や模様が付与されているものである。
【００５５】
そして、図４（ｃ）、（ｄ）に示すように、積層体９に部片４３を重ねたものを成形型１０内に入れて、基材層２の成形材料６を重ね、プレスヘッド１１によって加圧成形することで、図４（ｅ）に示すような加飾成形品４０が成形される。
【００５６】
実施例２の加飾成形品４０は、図４（ｅ）に示すように、基材層２の材料が表面に露出した基材表面部７と、切り欠きされていない加飾層４の加飾表面部８と、部片４３の加飾層４１が表面に露出した別の色柄の別の加飾層表面部４４とから成る柄が形成されており、しかも基材表面部７と、加飾表面部８と、加飾層表面部４４は段差なく形成されている。基材表面部７、加飾表面部８及び加飾層表面部４４のそれぞれの色や配置によって、表面に所望の色や模様から成る意匠性に富んだ柄を有する加飾成形品４０が得られる。
【実施例３】
【００５７】
図５は、本発明に係る加飾成形品の実施例３を説明する図である。図５（ｃ）に示す実施例３のこの加飾成形品５０は、実施例１の加飾成形品１と基本的には同じ構成であるが、相違する実施例３の加飾成形品５０の特有の構成は、加飾層４と目止め層３の切欠部５の一部に対応して、異なる色柄の別の加飾層表面部５１を備える点である。この実施例３の構成を、以下説明する。
【００５８】
本実施例３では、図５（ａ）に示すように、加圧成形する際に、加飾層４と目止め層３の切欠部５の一部に対応して、別の加飾層５１と目止め層５２が積層されて成る部片５３を配置する。この部片５３の加飾層５１は、切り欠きされていない加飾層４とは異なる色や模様が付与されているものである。この部片５３は、平面視で、切欠部５の大きさとほぼ同じ面積を有するものであることが望ましい。
【００５９】
そして、図５（ａ）、（ｂ）に示すように、積層体９に部片５３を重ねたものに基材層２の成形材料６を重ね、プレスヘッド１１によって加圧成形することで、図５（ｃ）に示すような実施例３の加飾成形品５０が成形される。
【００６０】
このようにして成形された加飾成形品５０は、切欠部５の形成されていない加飾層４の加飾表面部８と、基材層２の成形材料６が表面に露出した基材表面部７と、部片５３が表面に露出した異なる色柄の加飾表面部５４とによって形成される柄を有する。基材表面部７、加飾表面部８及び加飾層表面部５４のそれぞれの色や配置によって、表面に所望の色や模様から成る意匠性に富んだ柄を有する加飾成形品５０が得られる。
【００６１】
なお、加圧成形する際に、加飾層４と目止め層３の切欠部５の一部に対応して部片５３ではなく、基材層２と同じ材料であるが異なる色柄の成形材料片を配置し加圧成形し、その成形材料片が表面に露出して成る異なる色柄の基材層表面部を形成するようにしてもよい。
【００６２】
このようにすることで、切欠部５の形成されていない加飾層４の加飾表面部８と、基材層２の成形材料６が表面に露出した基材表面部７と、別の成形材料片が表面に露出した異なる色柄の別の基材層表面部とによって形成される柄を有する加飾成形品が得られる。
【００６３】
以上、本発明に係る加飾成形品の実施の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６４】
本発明に係る加飾成形品は上記のような構成であるから、浴室、洗面所などの床や壁等の材料として適用可能である。  
【符号の説明】
【００６５】
（実施例１）
１  加飾成形品
２  基材層
３  目止め層
４  加飾層
５  切欠部
６  成形材料
７  基材表面部
８  加飾表面部
９  積層体
１０  成形型
１１  プレスヘッド
１５  加飾成形品
１６  コーティング層
１７  加飾成形品
１８  凹凸模様
２０  ガラスマット
２１  加飾材
２２  チョップドストランドマット
２３  サーフェイスマット
２４  下部キャリアフィルム
２５  上部キャリアフィルム
２６  ガラス基板
２７  ローラコンベア
２８  スプレー
２９  ＭＭＡモノマー
３０  駆動ローラ
３１  圧延ローラ
３２  加飾用ＢＭＣ
３３  ドクターブレード（堰板）
（実施例２）
４０  加飾成形品
４１  加飾層
４２  目止め層
４３  部片
４４  加飾層表面部
（実施例３）
５０  加飾成形品
５１  加飾層
５２  目止め層
５３  部片
５４  加飾表面部
（従来技術等）
６０  加飾成形品
６１  成形型
６２  加飾層
６３  基材層
６４  成形材料
６５  プレスヘッド
６９  加飾成形品
７０  加飾シート
７１  セピオライト紙
７２  基材層
７３  成形材料
７４  プレスヘッド
７５  成形型
【図１】
2012115993.tif 000003
【図２】
2012115993.tif 000004
【図３】
2012115993.tif 000005
【図４】
2012115993.tif 000006
【図５】
2012115993.tif 000007
【図６】
2012115993.tif 000008